(57)【特許請求の範囲】
【請求項１】
撮像装置に着脱可能に装着されるレールと、
前記レールに該レールの延在方向に移動可能に結合された台座と、
撮像装置で撮像する映像が表示される表示面を有し左右の辺と上下の辺から矩形に形成されたディスプレイパネルと、
前記台座上で前記ディスプレイパネルを支持する左右一対のアームとを備え、
前記各アームの一端は、前記台座の左右側部に回転可能に結合され、
前記各アームの他端は、前記表示面と反対に位置する前記ディスプレイパネルの背面かつ前記左右の辺の内側の箇所の上下中間部に回転可能に結合され、
前記ディスプレイパネルは、前記表示面が前記台座の上面上において前記上面に対して直角に起立する第１の表示状態となり、また、前記表示面が前記台座から離れた箇所で前記台座から離れる方向に向きかつ前記上面の仮想延長面に対して直交する第２の表示状態となるように配置され、
前記第１の表示状態で、前記ディスプレイパネルの前記背面側に位置する前記左右のアームの部分は、前記表示面側から見て前記ディスプレイパネルの輪郭内に位置している、
ビューファインダー。
【請求項２】
前記各アームは、直線状に延在する台座側アーム部と直線状に延在するパネル側アーム部とがＬ字状を呈するよう連結されて構成され、
前記台座の左右側部に回転可能に結合される前記アームの一端は、前記パネル側アーム部と反対に位置する前記台座側アーム部の端部であり、
前記ディスプレイパネルの背面で左右の辺の上下中間部に回転可能に結合される前記アームの他端は、前記台座側アーム部と反対に位置する前記パネル側アーム部の端部である、
請求項１記載のビューファインダー。
【請求項３】
前記第１の表示状態で、前記台座側アーム部は、前記台座に回転可能に結合された箇所から前記台座の左右側部に沿って前記表示面から前記背面に向かう方向に延在し、その延在方向の端部から前記パネル側アーム部は上方に延在した状態となり、
前記第２の表示状態で、前記台座側アーム部は、前記台座に回転可能に結合された箇所よりも前記パネル側アーム部寄りの箇所が上方に位置しかつ前記ディスプレイパネル寄りに位置した傾斜した状態となり、前記パネル側アーム部は、前記ディスプレイパネルに回転可能に結合された箇所が前記台座側アーム部寄りの箇所よりも下方に位置しかつ前記ディスプレイパネル寄りに位置した傾斜した状態となる、
請求項２記載のビューファインダー。
【請求項４】
前記台座の左右側部は前記レールの延在方向に沿って延在しており、
前記パネル側アーム部と反対に位置する前記台座側アーム部の端部が前記台座の左右側部に回転可能に結合される箇所は、前記左右側部の延在方向における中央部である、
請求項２記載のビューファインダー。
【請求項５】
前記パネル側アーム部の幅方向の中央部に、該パネル側アーム部の長さ方向に沿って延在する欠部が設けられている、
請求項２記載のビューファインダー。
【請求項６】
前記左右のアームは、前記第２の表示状態で前記表示面側から見て前記ディスプレイパネルの輪郭内に位置している、
請求項１記載のビューファインダー。
【請求項７】
筐体とビューファインダーを有し、
前記ビューファインダーは、
前記筐体に着脱可能に装着されるレールと、
前記レールに該レールの延在方向に移動可能に結合された台座と、
撮像する映像が表示される表示面を有し左右の辺と上下の辺から矩形に形成されたディスプレイパネルと、
前記台座上で前記ディスプレイパネルを支持する左右一対のアームとを備え、
前記各アームの他端は、前記表示面と反対に位置する前記ディスプレイパネルの背面かつ前記左右の辺の内側の箇所の上下中間部に回転可能に結合され、
前記ディスプレイパネルは、前記表示面が前記台座の上面上において前記上面に対して直角に起立する第１の表示状態となり、また、前記表示面が前記台座から離れた箇所で前記台座から離れる方向に向きかつ前記上面の仮想延長面に対して直交する第２の表示状態となるように配置され、
前記第１の表示状態で、前記ディスプレイパネルの前記背面側に位置する前記左右のアームの部分は、前記表示面側から見て前記ディスプレイパネルの輪郭内に位置している、
撮像装置。
【請求項８】
前記筐体に旋回可能な旋回テーブルが設けられ、
前記レールは前記旋回テーブルに着脱可能に装着される、
請求項7記載の撮像装置。
【請求項９】
撮像光学系をさらに備え、
前記撮像光学系は前記筐体の前部に連結され、
前記筐体に上方および後方に開放状の凹部が設けられ、
前記ビューファインダーは前記凹部に配置されている、
請求項7記載の撮像装置。
【請求項１０】
撮像光学系をさらに備え、
前記撮像光学系は前記筐体の前部に連結され、
前記筐体に上方および後方に開放状の凹部が設けられ、
前記レールが前後方向に向けて前記凹部の底面に着脱可能に装着されている、
請求項7記載の撮像装置。
【請求項１１】
撮像光学系をさらに備え、
前記撮像光学系は前記筐体の前部に連結され、
前記筐体に上方および後方に開放状の凹部が設けられ、
前記レールが前後方向に向けて前記凹部の底面に着脱可能に装着され、
前記第２の表示状態で、前記ディスプレイパネルは、前記筐体の後方に離れた箇所に位置している、
請求項7記載の撮像装置。
【請求項１２】
撮像光学系をさらに備え、
前記撮像光学系は前記筐体の前部に連結され、
前記筐体に上方および後方に開放状の凹部が設けられ、
前記レールが前後方向に向けて前記凹部の底面に着脱可能に装着され、
前記第２の表示状態で、前記ディスプレイパネルは、前記筐体の後方に離れた箇所に位置し、かつ、前記撮像光学系の光軸の延長線は前記表示面の中央を通る、
請求項7記載の撮像装置。
【発明の詳細な説明】
【技術分野】
【０００１】
本発明はビューファインダーおよび撮像装置に関する。
【背景技術】
【０００２】
従来から、放送局のスタジオなどで使用される業務用の撮像装置として、被写体を撮影して映像信号を生成するカメラボディと、カメラボディに取着され映像信号に基づいて映像を表示するディスプレイを有するビューファインダーとを備えるものが提供されている。
近年、このようなビューファインダーとして、液晶表示装置やプラズマ表示装置などのように矩形板状を呈するディスプレイパネルを有するものが用いられている（特許文献１参照）。
上記ビューファインダーは、カメラボディ上でパネルディスプレイを支持するアームを備えている。
アームの一端は、カメラボディに設けられ上下に延在するパン軸回りに回転する回転部材に、前記パン軸と直交するリフト軸回りに回転可能に結合されている。
アームの他端は、ディスプレイパネルの表示面と反対側に位置する背面上部にリフト軸と平行するチルト軸回りに回転可能に結合されている。
したがって、アームをリフト軸回りに揺動することでビューファインダーの上下位置を調整することができ、ビューファインダーをチルト軸回りに揺動することでビューファインダーの表示面の向きを調整することができる。
【特許文献１】特開平１０−２３３００
【発明の開示】
【発明が解決しようとする課題】
【０００３】
しかしながら、上述した従来のビューファインダーでは、使用者の視力に応じて使用者の眼とビューファインダーの表示面との間の間隔を調整する際には、アームをリフト軸回りに揺動するため、表示面の位置が上下に変位することになり、表示面の視認性の向上を図る上で不利があった。
また、ディスプレイパネルの上部に揺動支点が位置していることから、ディスプレイパネルを揺動させた際に、使用者の眼と表示面との距離の変化量が大きく、表示面の視認性を確保する上で不利があった。
本発明はこのような事情に鑑みなされたものであり、その目的は、ディスプレイパネルの視認性の向上を図り使い勝手の向上を図る上で有利なビューファインダーおよび撮像装置を提供することにある。
【課題を解決するための手段】
【０００４】
上述の目的を達成するため、本発明のビューファインダーは、撮像装置に着脱可能に装着されるレールと、前記レールに該レールの延在方向に移動可能に結合された台座と、撮像装置で撮像する映像が表示される表示面を有し左右の辺と上下の辺から矩形に形成されたディスプレイパネルと、前記台座上で前記ディスプレイパネルを支持する左右一対のアームとを備え、前記各アームの一端は、前記台座の左右側部に回転可能に結合され、前記各アームの他端は、前記表示面と反対に位置する前記ディスプレイパネルの背面かつ前記左右の辺の内側の箇所の上下中間部に回転可能に結合され、前記ディスプレイパネルは、前記表示面が前記台座の上面上において前記上面に対して直角に起立する第１の表示状態となり、また、前記表示面が前記台座から離れた箇所で前記台座から離れる方向に向きかつ前記上面の仮想延長面に対して直交する第２の表示状態となるように配置され、前記第１の表示状態で、前記ディスプレイパネルの前記背面側に位置する前記左右のアームの部分は、前記表示面側から見て前記ディスプレイパネルの輪郭内に位置している。
また本発明の撮像装置は、筐体とビューファインダーを有し、前記ビューファインダーは、前記筐体に着脱可能に装着されるレールと、前記レールに該レールの延在方向に移動可能に結合された台座と、撮像する映像が表示される表示面を有し左右の辺と上下の辺から矩形に形成されたディスプレイパネルと、前記台座上で前記ディスプレイパネルを支持する左右一対のアームとを備え、前記各アームの他端は、前記表示面と反対に位置する前記ディスプレイパネルの背面かつ前記左右の辺の内側の箇所の上下中間部に回転可能に結合され、前記ディスプレイパネルは、前記表示面が前記台座の上面上において前記上面に対して直角に起立する第１の表示状態となり、また、前記表示面が前記台座から離れた箇所で前記台座から離れる方向に向きかつ前記上面の仮想延長面に対して直交する第２の表示状態となるように配置され、前記第１の表示状態で、前記ディスプレイパネルの前記背面側に位置する前記左右のアームの部分は、前記表示面側から見て前記ディスプレイパネルの輪郭内に位置している。
【発明の効果】
【０００５】
本発明によれば、ビューファインダーを、レールに沿って移動可能に撮像装置に装着できるので、表示面の上下方向の位置を変化させることなく、使用者の眼とディスプレイパネルの表示面との距離を使用者の視力に対応して調整できるため、表示面を視認しやすく操作性の向上を図る上で有利となる。
また、各アームの他端は、ディスプレイパネルの背面で左右の辺の内側の箇所の上下中間部に回転可能に結合されているので、ディスプレイの揺動支点がディスプレイパネルの上部に位置している場合に比較して、ディスプレイパネルを揺動させた際に、使用者の眼と表示面との距離の変化量が小さいため、表示面の視認性を確保する上で有利となる。
【発明を実施するための最良の形態】
【０００６】
次に、本発明の実施の形態について図面を参照して説明する。
まず、本実施の形態の撮像装置１０について説明し、次いで、撮像装置１０に装着されるビューファインダー３０について説明する。
図１はビューファインダー３０が装着された撮像装置１０の斜視図、図２は図１の側面図、図３はビューファインダー３０が取り外された撮像装置１０の斜視図、図４は図３の側面図で、図５は撮像装置１０の構成を示すブロック図である。
【０００７】
（撮像装置１０の制御系）
まず撮像装置１０の制御系について説明する。
本実施の形態において撮像装置１０は放送局のスタジオなどで使用される業務用の撮像装置である。
図５に示すように、撮像装置１０は、被写体像を撮像素子１２Ｂに導く撮像光学系１６を備える。
撮像素子１２Ｂは、ＣＣＤ、あるいは、Ｃ−ＭＯＳセンサなど従来公知のさまざまな撮像素子が採用可能である。
撮像装置１０は、前記の撮像素子１２Ｂの他に、プリズム１２Ａ、信号処理部１２Ｃ、制御部１２Ｄ、操作部１２Ｅ、表示部１２Ｆ、２つのＩ／Ｆ部１２Ｇ、１２Ｈなどを含んで構成されている。
本実施の形態では、３色（赤、緑、青）のそれぞれに対応して３つの撮像素子１２Ｂが設けられており、プリズム１２Ａは、撮像光学系１６から導かれた被写体像を構成する光束を３色（赤、緑、青）に分離して、各色に対応した撮像素子１２Ｂに導くものである。
信号処理部１２Ｃは、各撮像素子１２Ｂを駆動すると共に、各撮像素子１２Ｂから供給される映像信号に対して、例えば、ＣＤＳ（Correlated Double Sampling）処理を行って、Ｓ／Ｎ比を良好に保つようにするとともに、ＡＧＣ（Automatic Gain Control）処理を行って、利得を制御し、さらに、Ａ／Ｄ（Analog/Digital）変換を行って、デジタル信号とした映像データを生成するなどの一連の前処理を行い、さらに、前処理がなされた映像データを所定の圧縮方式によって圧縮（エンコード）することにより、所定の映像データを生成するものである。生成された映像データは、制御部１２ＤからＩ／Ｆ部１２Ｇを介して外部機器に供給される。
また、信号処理部１２Ｃは、デジタル信号に処理される前のアナログ信号の映像信号をコネクタ１２Ｉを介して後述するビューファインダー３０に供給することで撮影中の映像をビューファインダー３０に表示させる。
なお、コネクタ１２Ｉは、図７、図１７に示すように、後述する旋回テーブル２２に設けられている。そして、ビューファインダー３０が旋回テーブル２２に装着されると、ビューファインダー３０のコネクタ３００１がコネクタ１２Ｉに結合されるように構成されている。
【０００８】
２つのＩ／Ｆ部のうち一方のＩ／Ｆ部１２Ｇは、信号処理部１２Ｃから制御部１２Ｄを介して供給される前記映像データをケーブルを介してスタジオに設置された外部の機器に供給するものである。
２つのＩ／Ｆ部のうち他方のＩ／Ｆ部１２Ｈは、制御部１２Ｄとビューファインダー３０との間で前記映像信号の授受やその授受にまつわる制御信号などのやり取りを行うものである。
操作部１２Ｅは、撮像装置１０の動作にまつわる種々の設定を行うために操作されるスイッチやボリュームなどで構成されている。
表示部１２Ｆは、撮像装置１０の動作状態を表示するディスプレイやＬＥＤランプなどで構成されている。
制御部１２Ｄは、上述した信号処理部１２Ｃ、Ｉ／Ｆ部１２Ｇ，１２Ｈ、操作部１２Ｅ、表示部１２Ｆの制御を司るものである。
具体的には、制御部１２Ｄは、ＣＰＵ、ワーキングエリアを提供するＲＡＭ、制御プログラムなどを格納するＲＯＭ、信号処理部１２Ｃ、Ｉ／Ｆ部１２Ｇ，１２Ｈ、操作部１２Ｅ、表示部１２Ｆとの間で制御信号やデータ信号を授受するための周辺ＬＳＩなどを含むマイクロコンピュータによって構成されており、前記ＣＰＵが前記ＲＯＭの制御プログラムを実行することによって種々の制御動作を実行する。
【０００９】
（カメラボディ１２）
図１、図３に示すように、撮像装置１０は、前後に延在するカメラボディ１２を備え、カメラボディ１２の前部にレンズ鏡筒１４が装着されている。
なお、カメラボディ１２において、左右は、撮像装置１０を後方から見た状態でいうものとし、また、撮像光学系の光軸方向で被写体側を前方といい、撮像素子側を後方という。
レンズ鏡筒１４は、前記の撮像光学系１６（図５）を収容するものである。
本実施の形態では、レンズ鏡筒１４は断面が矩形枠状を呈し前後に延在している。
【００１０】
図３、図４に示すように、カメラボディ１２は、外装を構成する筐体２０を有している。
筐体２０は、前後に延在する下部２００２と、下部２００２の前部から起立する起立部２００４とを有している。
レンズ鏡筒１４の後部に起立部２００４の前面が合わされることでレンズ鏡筒１４と筐体２０とは連結される。
下部２００２の左右側部にはハンドル２００６が取着されている。
図２に示すように、下部２００２には、三脚２の雲台４に着脱可能に装着される三脚取り付け部２００８が設けられている。
【００１１】
図３、図４に示すように、下部２００２の上方かつ起立部２００４の後方に、左右側方および上方並びに後方に開放状の凹部２０１０が設けられている。
図３、図１７に示すように、凹部２０１０の底面２０１２には、すなわち、下部２００２の上面には、旋回テーブル２２が設けられている。
旋回テーブル２２は、鉛直方向に延在する軸線Ｚ回りに回転可能に構成されている。
旋回テーブル２２には、該旋回テーブル２２が所望の回転位置で保持されるようにロック機構が付設されている。
なお、旋回テーブル２２を回転可能に支持する構造や旋回テーブル２２を所望の回転位置で保持するロック機構の構造には従来公知のさまざまな構成が採用可能である。
【００１２】
（ビューファインダー３０）
次にビューファインダー３０について説明する。
図６はビューファインダー３０がカメラボディ１２に装着された状態を示す斜視図、図７はビューファインダー３０のカメラボディ１２への装着動作を示す斜視図、図８は図７のＡ矢視図、図９は図７のＢ矢視図である。
図１０は第１の表示状態にあるディスプレイパネル３６がレール３２の後端に位置した状態を示す側面図である。
図１１は第１の表示状態にあるディスプレイパネル３６がレール３２の前端に位置した状態を示す側面図である。
図１２は第２の表示状態にあるディスプレイパネル３６がレール３２の前端に位置した状態を示す側面図、図１３は第２の表示状態にあるディスプレイパネル３６がレール３２の前端に位置した状態を示す斜視図、図１４は図１３のＡ矢視図である。
図１５は第２の表示状態にあるディスプレイパネル３６がレール３２の後端に位置した状態を示す側面図、図１６は図１５のＢ矢視図である。
図１７はビューファインダー３０を取り外したカメラボディ１２の後面図である。
【００１３】
図６乃至図９に示すように、ビューファインダー３０は凹部２０１０に設けられ、本実施の形態では、凹部２０１０の底面２０１２の旋回テーブル２２上に設けられている。
ビューファインダー３０は、レール３２と、台座３４と、ディスプレイパネル３６と、一対のアーム３８とを含んで構成されている。
【００１４】
（レール３２）
レール３２は、旋回テーブル２２の中央に着脱可能に装着されている。なお、レール３２の装着にはねじを用いるなど従来公知のさまざまな取り付け構造が採用可能である。
レール３２は旋回テーブル２２上においてその直径方向に延在し、図面では前後方向に延在した状態を示している。
【００１５】
（台座３４）
台座３４は、レール３２に、該レール３２の延在方向に移動可能に結合されている。
台座３４は、旋回テーブル２２よりも大きな輪郭を有しており、レール３２は台座３４の下面中央に結合されている。
台座３４の左右側部は、レール３２の延在方向に沿って延在している。
台座３４には、該台座３４が所望の位置で保持されるようにロック機構が付設されている。
なお、台座３４がレール３２に移動可能に結合される構造や台座３４を所望の位置で保持するロック機構の構造には従来公知のさまざまな構成が採用可能である。
【００１６】
（アーム３８）
一対のアーム３８は、台座３４上でディスプレイパネル３６を支持するものである。
図７、図１６に示すように、各アーム３８の一端は、台座３４の左右側部に回転可能に結合されている。
各アーム３８の他端は、ディスプレイパネル３６の表示面３６０２と反対に位置するディスプレイパネル３６の背面３６０４で左右の辺の内側の箇所の上下中間部に回転可能に結合されている。
本実施の形態では、図１０、図１６に示すように、背面３６０４の上下中間部から突出し左右方向に延在する膨出部３６１０が設けられ、この膨出部３６１０に各アーム３８の他端が回転可能に結合されている。
【００１７】
図９に示すように、各アーム３８は、直線状に延在する台座側アーム部４０と直線状に延在するパネル側アーム部４２とがＬ字状を呈するよう連結されて構成されている。
本実施の形態では、図１０に示すように、パネル側アーム部４２の幅方向の中央部に、該パネル側アーム部４２の長さ方向に沿って延在する欠部４２０２が設けられている。
このような欠部４２０２を設けることにより、アーム３８の強度を保持しつつ軽量化を図る上で有利となっている。
台座３４の左右側部に回転可能に結合されるアーム３８の一端は、パネル側アーム部４２と反対に位置する台座側アーム部４０の端部である。
パネル側アーム部４２と反対に位置する台座側アーム部４０の端部が台座３４の左右側部に回転可能に結合される箇所は、左右側部の延在方向における中央部である。
ディスプレイパネル３６の背面３６０４で左右の辺の上下中間部に回転可能に結合されるアーム３８の他端は、台座側アーム部４０と反対に位置するパネル側アーム部４２の端部である。
【００１８】
台座側アーム部４０が台座３４の左右側部に対する回転角度を保持する保持機構４４が、台座側アーム部４０の端部と台座３４の左右側部とが回転可能に結合された箇所に設けられている。
パネル側アーム部４２が左右の辺の上下中間部に対する回転角度を保持する保持機構４６が、パネル側アーム部４２の端部と左右の辺の上下中間部とが回転可能に結合され箇所に設けられている。
図１０において、符号４６０２はパネル側アーム部４２の上端部分に設けられ保持機構４６の一部を構成する操作摘みを示す。
操作摘み４６０２を操作することで、ディスプレイパネル３６のパネル側アーム部４２に対する回転が許容され、あるいは、ディスプレイパネル３６の回転位置の保持がなされる。
また、本実施の形態では、パネル側アーム部４２に欠部４２０２を設けることにより、操作摘み４６０２が設けられるパネル側アーム部４２の上端部分の幅を広く確保することで操作摘み４６０２の外形を大きくでき、したがって、操作摘み４６０２の操作性の向上を図る上で有利となっている。
なお、このような保持機構４４、４６として、クリック機構、ねじによる締め付け機構、摩擦機構など従来公知のさまざまな構成が採用可能である。
【００１９】
（ディスプレイパネル３６）
ディスプレイパネル３６は、図６に示すように、撮像装置１０で撮像する映像が表示される表示面３６０２を有している。
ディスプレイパネル３６は、左右の辺と上下の辺から矩形に形成されている。
図６、図１０、図１１に示すように、ディスプレイパネル３６は、表示面３６０２が台座３４の上面３４０２上において上面に対して直角に起立する第１の表示状態となる。
第１の表示状態で、台座側アーム部４０は、台座３４に回転可能に結合された箇所から台座３４の左右側部に沿って表示面３６２０から背面３６０４に向かう方向に延在し、その延在方向の端部からパネル側アーム部４２は上方に延在した状態となる。
また、第１の表示状態で、図１０に示すように、ディスプレイパネル３６の背面３６０４側に位置する左右のアーム３８の部分は、表示面３６０２側から見てディスプレイパネル３６の輪郭内に位置している。
【００２０】
また、図１２乃至図１５に示すように、ディスプレイパネル３６は、表示面３６０２が台座３４の前方で上面３４０２の仮想延長面に対して直交する第２の表示状態となる。
図１５に示すように、第２の表示状態で、ディスプレイパネル３６は、筐体２０の後方に離れた箇所に位置し、かつ、撮像光学系１６の光軸Ｌの延長線は表示面３６０２のほぼ中央を通る。言い換えると、表示面３６０２の中心と、撮像光学系１６の光軸Ｌとがほぼ一致する。
図１５に示すように、第２の表示状態で、台座側アーム部４０は、台座３４に回転可能に結合された箇所よりもパネル側アーム部４２寄りの箇所が上方に位置しかつディスプレイパネル３６寄りに位置した傾斜した状態となる。また、パネル側アーム部４２は、ディスプレイパネル３６に回転可能に結合された箇所が台座側アーム部４０寄りの箇所よりも下方に位置しかつディスプレイパネル３６寄りに位置した傾斜した状態となる。
図１２、図１４、図１６に示すように、左右のアーム３８は、前記第２の表示状態で表示面３６０２側から見てディスプレイパネル３６の輪郭内に位置している。
なお、実施の形態では、旋回テーブル２２に装着された状態でレール３２は前後方向に延在している。
【００２１】
（使用方法）
次に本実施の形態のビューファインダー３０および撮像装置１０の使用方法について説明する。
まず、図９に示すように、ビューファインダー３０のレール３２を、カメラボディ１２の旋回テーブル２２に臨ませて、図１０に示すように、ビューファインダー３０のレール３２を、カメラボディ１２の旋回テーブル２２に装着する。
これにより、ビューファインダー３０のコネクタ３００１（図５）と撮像装置１０のコネクタ１２Ｉ（図７、図１７）とが結合され、撮像装置１０の信号処理部１２Ｃから供給される映像信号がコネクタ１２Ｉ、３００１を介してビューファインダー３０に供給可能な状態となる。
【００２２】
図１０に示すように、旋回テーブル２２を回転させレール３２を撮像装置１０の前後方向に合致させた状態で、言い換えると、レール３２を撮像光学系１６（図５）の光軸Ｌと平行にした状態で、第１の状態にあるビューファインダー３０をレール３２の延在方向に沿って移動させることにより、表示面３６０２の上下方向の位置を変化させることなく、使用者の眼とビューファインダー３０の表示面３２０２との距離を任意に調整することができ、使用者の視力に対応して最も見やすい位置に表示面３２０２を位置させることができる。
特に、ビューファインダー３０を図１１に示すレール３２の前端位置に移動させると、使用者の眼とビューファインダー３０の表示面３２０２との距離を最大に確保でき、使用者が遠視であっても表示面３２０２を楽に視認することができ、操作性を高める上で有利となる。
【００２３】
図１２に示すように、ビューファインダー３０をレール３２の前端位置に位置させた状態で、アーム３８を揺動させディスプレイパネル３６を第２の表示状態とすると、表示面３６０２をカメラボディ１２の後方に離れた箇所でカメラボディ１２の後面近傍に位置させることができ、使用者は最も自然な姿勢で表示面３６０２を視認することができる。
【００２４】
図１３乃至図１５に示すように、ビューファインダー３０をレール３２の後端位置に位置させた状態で、アーム３８を揺動させディスプレイパネル３６を第２の表示状態とすると、表示面３６０２の中心と、撮像光学系１６の光軸Ｌとを一致させることができ、使用者は最も視差（パララックス）がない状態で表示面３６０２を視認することができる。
したがって、スポーツなどの場面において被写体が素早く動く場合に、撮像装置１０（撮像光学系１６）の向きを被写体に常に追従させる上で操作性の向上を図ることができ有利となる。
【００２５】
以上説明したように本実施の形態によれば、ビューファインダー３０はレール３２に沿って移動可能に撮像装置１０に装着されるので、表示面３６０２の上下方向の位置を変化させることなく、使用者の眼とディスプレイパネル３６の表示面３６０２との距離を使用者の視力に対応して調整できるため、表示面３６０２を視認しやすく操作性の向上を図る上で有利となる。
また、各アーム３８の他端は、ディスプレイパネル３６の背面３６０４で左右の辺の上下中間部に回転可能に結合されているので、ディスプレイ３６の揺動支点がディスプレイパネル３６の上部に位置している場合に比較して、ディスプレイパネル３６を揺動させた際に、使用者の眼と表示面３２０２との距離の変化量が小さいため、表示面３２０２の視認性を確保する上で有利となる。
【００２６】
また、ディスプレイパネル３６は、表示面３６０２が台座３４の上面３４０２上において上面３４０２に対して直角に起立する第１の表示状態と、表示面３６０２が台座３４の前方で上面３４０２の仮想延長面に対して直交する第２の表示状態となるように配置されているので、表示面３６０２の姿勢、位置を多様に変化させることができ、ディスプレイパネル３６の姿勢、位置を選択の自由度を確保する上で有利となる。
また、第１の表示状態でディスプレイパネル３６の背面３６０４側に位置する左右のアーム３８の部分は、表示面３６０２側から見てディスプレイパネル３６の輪郭内に位置し、第２の表示状態で、左右のアーム３８の全ての部分は表示面３６０２側から見てディスプレイパネル３６の輪郭内に位置しているため、使用者が視線を表示面３６０２から実際の被写体に移した場合に、アーム３８の部分が視線を遮ることがなく、撮影時の円滑な操作性を確保する上で有利となる。
【００２７】
また、本実施の形態では、各アーム３８は、直線状に延在する台座側アーム部４０と直線状に延在するパネル側アーム部４２とがＬ字状を呈するよう連結されて構成され、第１の表示状態で、台座側アーム部４０は、台座３４に回転可能に結合された箇所から台座３４の左右側部に沿って表示面３６０２から背面３６０４に向かう方向に延在し、その延在方向の端部からパネル側アーム部４２は上方に延在した状態となり、第２の表示状態で、台座側アーム部４０は、台座３４に回転可能に結合された箇所よりもパネル側アーム部４２寄りの箇所が上方に位置しかつディスプレイパネル３６寄りに位置した傾斜した状態となり、パネル側アーム部４２は、ディスプレイパネル３６に回転可能に結合された箇所が台座側アーム部４０寄りの箇所よりも下方に位置しかつディスプレイパネル３６寄りに位置した傾斜した状態となる。
したがって、アーム３８がディスプレイパネル３６およびカメラボディ１２の筐体２０に干渉せずにディスプレイパネル３６が揺動できる範囲を大きく確保する上で有利となる。
そのため、ディスプレイパネル３６の表示面３６０２の調整範囲を大きく確保でき、使い勝手を高める上で有利となることは無論のこと、ディスプレイパネル３６の表示面３６０２の上下方向の寸法を確保する上でも有利となり、したがって表示面３６０２の大型化を図る上でも有利となる。
【図面の簡単な説明】
【００２８】
【図１】ビューファインダー３０が装着された撮像装置１０の斜視図である。
【図２】図１の側面図である。
【図３】ビューファインダー３０が取り外された撮像装置１０の斜視図である。
【図４】図３の側面図である。
【図５】撮像装置１０の構成を示すブロック図である。
【図６】ビューファインダー３０がカメラボディ１２に装着された状態を示す斜視図である。
【図７】ビューファインダー３０のカメラボディ１２への装着動作を示す斜視図である。
【図８】図７のＡ矢視図である。
【図９】図７のＢ矢視図である。
【図１０】第１の表示状態にあるディスプレイパネル３６がレール３２の後端に位置した状態を示す側面図である。
【図１１】第１の表示状態にあるディスプレイパネル３６がレール３２の前端に位置した状態を示す側面図である。
【図１２】第２の表示状態にあるディスプレイパネル３６がレール３２の前端に位置した状態を示す側面図である。
【図１３】第２の表示状態にあるディスプレイパネル３６がレール３２の後端に位置した状態を示す斜視図である。
【図１４】図１３のＡ矢視図である。
【図１５】第２の表示状態にあるディスプレイパネル３６がレール３２の後端に位置した状態を示す側面図である。
【図１６】図１５のＢ矢視図である。
【図１７】ビューファインダー３０を取り外したカメラボディ１２の後面図である。
【符号の説明】
【００２９】
１０……撮像装置、１２……カメラボディ、３０……ビューファインダー、３２……レール、３４……台座、３６……ディスプレイパネル、３８……アーム。
【図１】
0004479818.tif 000002
【図２】
0004479818.tif 000003
【図３】
0004479818.tif 000004
【図４】
0004479818.tif 000005
【図５】
0004479818.tif 000006
【図６】
0004479818.tif 000007
【図７】
0004479818.tif 000008
【図８】
0004479818.tif 000009
【図９】
0004479818.tif 000010
【図１０】
0004479818.tif 000011
【図１１】
0004479818.tif 000012
【図１２】
0004479818.tif 000013
【図１３】
0004479818.tif 000014
【図１４】
0004479818.tif 000015
【図１５】
0004479818.tif 000016
【図１６】
0004479818.tif 000017
【図１７】
0004479818.tif 000018